(57)【要約】      （修正有）【課題】アース線の接続金具を筐体や前扉のアース部及び電気部品にネジ止め接続する際にアース線を所望の方向に止める。【解決手段】壁部３０７は、アース線固定用ネジ５０１を中心とした一端側接続金具４０１の時計方向の回転を規制し、突起部３０８は、アース線固定用ネジ５０１を中心とした一端側接続金具４０１の反時計方向の回転を規制し、突起部３２５は、アース線固定用ネジ５０２を中心とした他端側接続金具４０２の時計方向の回転を規制し、突起部３２６は、アース線固定用ネジ５０２を中心とした前記側接続金具４０２の反時計方向の回転を規制するので、アース線３００ｂの一端側及び他端側接続金具４０１、４０２を前扉３のアース部３０３及びスピーカ３２ｂにネジ止め接続する際にアース線３００ｂを所望の方向に止めることができる。【選択図】  図５
2008237743.tif 000002
【特許請求の範囲】
【請求項１】
電気部品を備えた遊技機のアース線固定構造であって、
導体で形成された芯線の外周を絶縁性のチューブで覆ったアース線と、
導体を素材とし、外形が略円形で中心に貫通孔が形成されたネジ止部を有するとともに、当該ネジ止部の外周から延出し前記アース線の芯線の一端に電気的に接続する延出部を有する接続金具と、
ネジ部が前記接続金具の前記貫通孔に挿入し前記遊技機に形成されたネジ穴に螺入してネジ頭が締め付けられることで、前記接続金具を固定するアース線固定用ネジと、
前記ネジ穴の近傍に形成され、第１及び第２の規制部を有し、当該第１及び第２の規制部の間に前記延出部を収容する収容凹部と、
を備え、
前記収容凹部に前記接続金具の前記延出部を収容し、前記接続金具の前記貫通孔と前記ネジ穴が整合した状態で前記アース線固定用ネジのネジ部が当該貫通孔を介して当該ネジ穴に螺入する場合に、前記第１規制部が、前記アース線固定用ネジを中心とした前記接続金具の時計方向の回転を規制し、前記第２規制部が、前記アース線固定用ネジを中心とした前記接続金具の反時計方向の回転を規制することを特徴とする遊技機のアース線固定構造。
【発明の詳細な説明】
【技術分野】
【０００１】
本発明は、アース線を用いて内部の電気部品をアース接続する遊技機のアース線固定構造に関する。
【背景技術】
【０００２】
従来、遊技機の一例としてのスロットマシンが存在している。スロットマシンは、前面が開口する箱状に形成された筐体と、本体の前面開口を開閉自在とする前扉とから構成されている。筐体（本体）内には、外周に複数種類の図柄が配列されたリール、貯留されたメダルを払出すためのメダル払出装置、電源基板が内蔵された電源ユニット、その他各種装置や基板の電気部品の電気部品が配設されている（例えば特許文献１参照）。前扉には液晶表示装置やスピーカ等の電気部品が取付けられている。
【０００３】
ここで液晶表示装置やスピーカでは、帯電することで画質や音質が劣化するので、筐体や前扉のアース部にアース接続するのが望ましい。液晶表示装置やスピーカ等の電気部品のアース接続においては、アース線の一端及び他端側に接続金具を設け、一端側の接続金具を液晶表示装置やスピーカ等の電気部品にネジ止めし、他端側の接続金具を筐体や前扉のアース部にネジ止めすることで、電気部品を筐体や前扉に電気的に接続している。
【０００４】
【特許文献１】特開２００５−１２４８４９号公報
【発明の開示】
【発明が解決しようとする課題】
【０００５】
しかしながら従来のアース線により電気部品を筐体や前扉のアース部にアース接続する技術では、アース線の接続金具を筐体や前扉のアース部及び電気部品にネジ止め接続する際にネジの回転による摩擦力で接続金具が回転し、これによりアース線の一端側及び他端側が回転して、アース線を所望の方向に止めるのが困難であり、アース線のため遊技機の内部に広いスペースを取る必要があった。
【０００６】
本発明は、こうした従来の問題に鑑みてなされたものであり、アース線の接続金具を遊技機の筐体や前扉のアース部及び電気部品にネジ止め接続する際にアース線を所望の方向に止めることができる遊技機のアース線固定構造を提供することを目的としている。
【課題を解決するための手段】
【０００７】
上述した課題を解決するため、請求項１に記載の発明は、電気部品を備えた遊技機のアース線固定構造であって、導体で形成された芯線の外周を絶縁性のチューブで覆ったアース線と、導体を素材とし、外形が略円形で中心に貫通孔が形成されたネジ止部を有するとともに、当該ネジ止部の外周から延出し前記アース線の芯線の一端に電気的に接続する延出部を有する接続金具と、ネジ部が前記接続金具の前記貫通孔に挿入し前記遊技機に形成されたネジ穴に螺入してネジ頭が締め付けられることで、前記接続金具を固定するアース線固定用ネジと、前記ネジ穴の近傍に形成され、第１及び第２の規制部を有し、当該第１及び第２の規制部の間に前記延出部を収容する収容凹部と、を備え、前記収容凹部に前記接続金具の前記延出部を収容し、前記接続金具の前記貫通孔と前記ネジ穴が整合した状態で前記アース線固定用ネジのネジ部が当該貫通孔を介して当該ネジ穴に螺入する場合に、前記第１規制部が、前記アース線固定用ネジを中心とした前記接続金具の時計方向の回転を規制し、前記第２規制部が、前記アース線固定用ネジを中心とした前記接続金具の反時計方向の回転を規制することを特徴とする。
【０００８】
請求項１に記載の遊技機のアース線固定構造によれば、前記収容凹部に前記接続金具の前記延出部を収容し、前記接続金具の前記貫通孔と前記ネジ穴が整合した状態で前記アース線固定用ネジのネジ部が当該貫通孔を介して当該ネジ穴に螺入する場合に、前記第１規制部が、前記アース線固定用ネジを中心とした前記接続金具の時計方向の回転を規制し、前記第２規制部が、前記アース線固定用ネジを中心とした前記接続金具の反時計方向の回転を規制するので、アース線の接続金具を遊技機の筐体や前扉のアース部及び電気部品にネジ止め接続する際にアース線を所望の方向に止めることができる。
【発明の効果】
【０００９】
本発明の遊技機のアース線固定構造によれば、アース線固定用ネジを中心とした接続金具の回転を収容凹部で規制することで、アース線の接続金具を遊技機の筐体や前扉のアース部及び電気部品にネジ止め接続する際にアース線を所望の方向に止めることができ、遊技機の内部におけるアース線を収納する領域を縮小して遊技機の内部を有効利用が可能になる。
【発明を実施するための最良の形態】
【００１０】
以下、本発明に係る遊技機のアース線固定構造の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。
【００１１】
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１２】
図１及び図２において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００１３】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１４】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して筐体２内に設けられているリールユニット１００の３個のリール１０１ａ、１０１ｂ、１０１ｃが目視されるようになっている。
【００１５】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００１６】
上部パネル部４の上部には、高輝度発光ダイオード等のランプ類を内蔵する演出用照明部４６と、ゲームに係る効果音を発生させるスピーカを内蔵する演出用放音部４８ａ、４８ｂが配置されている。
【００１７】
スロットマシン１は、ゲームの進行に応じて上述した演出用照明部４６等が点灯又は点滅することで、ゲームにおける視覚的な演出効果を高めるように形成されている。
【００１８】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００１９】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２０】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２１】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２２】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２３】
さらに、操作卓７の前面の左隅には、ゲームに賭けられたメダルをキャンセルして払い出させることを指示するとともに、後述するメダルクレジット手段２０３（図４参照）が内部貯留したメダルを精算して払い出させることを指示するための精算ボタン７７が設けられている。
【００２４】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００２５】
下部パネル部５には、スロットマシン１のモデルタイプを遊技者へ認識させる等のため、登場キャラクターの絵などを表示する表示パネル５１が設けられている。
【００２６】
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００２７】
次に、図３を参照して、筐体２の内部構造と前扉３の裏面構造とを説明する。
図３において、筐体２の前方には開口８を有している。この開口８内の上部には、左右のブラケット部材２５１、２５２を介して硬質プラスチックの基板ケース２５０に収納された主制御基板２０が取付けられている。主制御基板２０は、スロットマシン１の全体動作を集中制御するＣＰＵ（マイコン）を備えている。
【００２８】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたステッピングモータによって回転駆動される。
【００２９】
また、リールユニット１００の上部には、各リールを回転駆動する上記ステッピングモータへ４相の駆動パルス信号を送出する回胴装置基板が取付けられており、主制御基板２０が回胴装置基板に回胴駆動（励磁）パルスデータを送出することで、各リールの回転と制動及び停止の制御を行っている。
【００３０】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源基板２４が設けられている。電源ユニット２３は、後述のハーネスを介してホッパ装置２１、電源ユニット２３及びサブ制御基板４０と電気的に接続する。更に、筐体２の上部右側の内壁に、遊技場に設置されている「ホールコンピュータ」と呼ばれる管理用コンピュータと接続可能な外部集中端子基板２５が取付けられている。
【００３１】
次に、前扉３の裏面側上部には、発光駆動部３０が配置されている。発光駆動部３０は、演出用照明部４６の光源である高輝度の発光ダイオードが複数配列され、この発光ダイオードを発光駆動する駆動回路が実装されている。
【００３２】
また、前扉３の裏面側上部には、上述の演出用放音部４８ａ、４８ｂに対向してスピーカ３２ａ、３２ｂが取付けられている。また、スピーカ３２ａ、３２ｂの間には、液晶表示装置４９が取付けられている。更に、液晶表示装置４９の裏面側には、電気回路基板で形成され硬質プラスチックの基板ケース２６０に収納されたサブ制御基板４０が取付けられている。また、スピーカ３２ａ、３２ｂには、本発明の要部となるアース線３００ａ、３００ｂを介して前扉３のアース部となる裏面に電気的に接続されている。
【００３３】
主制御基板２０及びサブ制御基板４０は、スロットマシン１の作動を制御する制御基板である。
【００３４】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３５】
中央表示基板３３の下方には、メダル選別装置３４が取付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３６】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取付けられている。
【００３７】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００３８】
次に、図４のブロック図を参照して、スロットマシン１に設けられている制御システムについて説明する。
図４において、主制御基板２０は、ＣＰＵ２００と、記憶部２０１とを備えている。
【００３９】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４０】
また、記憶部２０１にはメダルクレジット手段２０３が設けられている。メダルクレジット手段２０３はスロットマシン１が内部貯留するメダルの数であるクレジットをメモリに記憶する。
【００４１】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００４２】
主制御基板２０は、前記操作スイッチ類やメダル選別装置３４のメダルセンサ３４ａからの出力信号によりゲームに係る操作を検出する。
主制御基板２０は、動作モードがメダルベット待機状態となっている場合において、メダルセンサ３４ａがメダルを検出した場合、検出したメダルをゲームの賭数に加算する。
【００４３】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００４４】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００４５】
主制御基板２０は、入賞が確定した場合等において、ホッパ装置２１を制御することで、所定数のメダルをメダル受皿６ａに払い出す。
また、主制御基板２０は、精算ボタン７７が操作された場合、ゲームに賭けられたメダルをキャンセルしてホッパ装置２１に払い出させるとともに、メダルクレジット手段２０３（図４参照）が内部貯留したメダルを精算してホッパ装置２１に精算前のクレジット数のメダルを払い出させる。
【００４６】
サブ制御基板４０は、主制御基板２０からの制御信号に基づいて液晶表示装置４９（図１参照）、演出用照明部４６（図１参照）、演出用放音部４８ａ、４８ｂ、６２ａ、６２ｂ（図１参照）のスピーカ３２ａ、３２ｂ、３８ａ、３８ｂ等の演出装置２１０を制御駆動することで、遊技者の視覚や聴覚に訴える演出をゲームの進行に応じて行っている。
【００４７】
一方、主制御基板２０の記憶部２０１には、入賞抽選テーブル２０４が記憶されている。また、記憶部２０１には、内部当選した入賞役に対応するフラグを記憶する内部抽選フラグ記憶領域２０５が設定されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、記憶部２０１の内部抽選フラグ記憶領域２０５における当選した入賞役のフラグをオンにする。ここでは、かかる入賞役の抽選方法を「内部抽選」と呼んでいる。
【００４８】
次に、スロットマシン１におけるゲーム動作の概要を説明する。
【００４９】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５０】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域２０５に記憶される。
【００５１】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域２０５に対応する入賞役に係る図柄の組合せとが一致しているかどうか判定する。
【００５２】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００５３】
以下、図５乃至図７を参照して前扉３の裏側のスピーカ３２ｂ及びこの周辺部について詳細に説明する。
【００５４】
図５は、前扉３の裏側のスピーカ３２ｂ及びこの周辺部の背面図である。図６は、アース線３００ｂの一端側をアース部３０３に接続する場合の作業を説明する説明図である。図７は、アース線３００ｂの他端側をスピーカ３２ｂに接続する場合の作業を説明する説明図である。尚、図５乃至図７は前扉３の裏側の裏側から見た図であり、図面の右側が前扉３の左側となり、図面の左側が前扉３の右側となっている。
【００５５】
図５において、前扉３の裏面側上部の右側部３０１には、スピーカ３２ｂのスピーカ本体３０２が放音部を前方に向けて取付けられている。前扉３の裏面側上部は、導電性の鍍金が施されアース部３０３になっている。
アース線３００ｂは、導体で形成された芯線の外周を絶縁性のチューブで覆ったものである。
【００５６】
図６に示すように、一端側接続金具４０１は、導体を素材とし、外形が略円形で中心に貫通孔４１２が形成されたネジ止部４１１を有するとともに、当該ネジ止部４１１の外周から延出しアース線３００ｂの芯線の一端に電気的に接続する延出部４１３を有する。延出部４１３とアース線３００ｂの接続部は、絶縁性の保護カバー４１４で覆われている。
【００５７】
他端側接続金具４０２は、導体を素材とし、外形が略円形で中心に貫通孔４２２が形成されたネジ止部４２１を有するとともに、当該ネジ止部４２１の外周から延出しアース線３００ｂの芯線の他端に電気的に接続する延出部４２３を有する。延出部４１３とアース線３００ｂの接続部は、絶縁性の保護カバー４２４で覆われている。
【００５８】
一方、アース部３０３におけるスピーカ本体３０２を取付ける取付部３０４の右隣には、一端側接続金具４０１をネジ止めするためのネジ止め部３０５が形成されている。
ネジ止め部３０５は、アース部３０３から背面方向に突出する円柱状に形成され、先端面側に第１のアース線固定用ネジ５０１のネジ部５１１が螺入されるネジ穴３０６が形成されている。ネジ止め部３０５は、導電性に鍍金が施され、アース部３０３の一部になっている。
【００５９】
第１のアース線固定用ネジ５０１は、ネジ部５１１が一端側接続金具４０１の貫通孔４１２に挿入しネジ止め部３０５のネジ穴３０６に螺入してネジ頭５１２が締め付けられることで、ネジ止め部３０５に一端側接続金具４０１を固定する。
【００６０】
アース部３０３におけるネジ止め部３０５の右側には、壁部３０７が設けられている。壁部３０７は、前記第１のアース線固定用ネジ５０１を中心とした前記一端側接続金具４０１及び前記アース線３００ｂの一端側の第１の回転方向（背面側から見て時計回り）の回転を規制する。
【００６１】
アース部３０３におけるネジ止め部３０５の左斜め下側近傍には、前記第１のアース線固定用ネジ５０１を中心とした前記一端側接続金具４０１及び前記アース線３００ｂの一端側の第２の回転方向（前扉３の背面側から見て反時計回り）の回転を規制する方向に前記保護カバー４１４を係止する突起部３０８が立設されている。
【００６２】
突起部３０８の基端側と壁部３０７の間には、突起部３０８を補強するための板状部３０９が連続して形成されている。
壁部３０７と突起部３０８と板状部３０９で囲まれる領域は、一端側接続金具４０１における前記保護カバー４１４が取付けられた延出部４１３を収容する収容凹部３３１となっている。
【００６３】
図７に示すように、前扉３の裏面側上部の右側部３０１の取付部３０４（図６参照）には、スピーカ本体３０２が取付けられている。
スピーカ３２ｂは、スピーカ本体３０２に金属製のカバー３２１を取付けたものである。カバー３２１は、金属製のフランジ部３２２を有している。フランジ部３２２は、略長四角形に形成されており、左上、左下、右下のコーナー近傍が通常のネジ５０３（図５参照）によりスピーカ本体３０２にネジ止め固定されている。
【００６４】
金属製のフランジ部３２２の右上のコーナー近傍には、第２のアース線固定用ネジ５０２のネジ部５２１が挿入される貫通孔３２３が形成されている。スピーカ本体３０２には第２のアース線固定用ネジ５０２のネジ部５２１が螺入されるネジ穴３２４が形成されている。
【００６５】
第２のアース線固定用ネジ５０２は、ネジ部５２１が他端側接続金具４０２の貫通孔４２２に挿入し、フランジ部３２２の貫通孔３２３に挿入し、スピーカ本体３０２のネジ穴３２４に螺入して、ネジ頭５２２が締め付けられることでフランジ部３２２及びスピーカ本体３０２に他端側接続金具４０２を固定する。
【００６６】
スピーカ本体３０２のネジ穴３２４の右側には、前記第２のアース線固定用ネジ５０２を中心とした前記他端側接続金具４０２及び前記アース線３００ｂの他端側の第１の回転方向（前扉３の背面側から見て時計回り）の回転を規制する方向に前記保護カバー４２４を係止する突起部３２５が立設されている。
【００６７】
スピーカ本体３０２のネジ穴３２４より右斜下側には、前記第２のアース線固定用ネジ５０２を中心とした前記他端側接続金具４０２及び前記アース線３００ｂの他端側の第２の回転方向（前扉３の背面側から見て反時計回り）の回転を規制する方向に前記保護カバー４２４を係止する突起部３２６が立設されている。
【００６８】
突起部３２５は、左下側が傾斜面３２７になっている。突起部３２６は、右上側が傾斜面３２８になっている。
傾斜面３２７と傾斜面３２８の面は、互いに平行になっており、アース線３００ｂの保護カバー４１４に覆われた延出部４２３を受け止めやすく、これにより当該の延出部４２３の角度を規制し易くなっている。
突起部３２５と突起部３２６との間には、突起部３２５、３２６を補強するための板状部３２９が連続して形成されている。
突起部３２５、３２６と板状部３２９で囲まれる領域は、他端側接続金具４０２における前記保護カバー４２４が取付けられた延出部４２３を収容する収容凹部３３２となっている。
【００６９】
以下、アース線３００ｂの取付け方法について説明する。
まず、図６に示すように、作業者は、前扉３の裏面側上部の右側部３０１からスピーカ３２ｂ（図５及び図７参照）を外した状態で、突起部３０８と壁部３０７の間に前記アース線３００ｂの保護カバー４１４を挿入し、アース線固定用ネジ５０１のネジ部５１１を一端側接続金具４０１の貫通孔４１２に挿入しネジ止め部３０５のネジ穴３０６に螺入して、ネジ頭５１２を締め付ける。これにより、ネジ止め部３０５に一端側接続金具４０１をネジ止め固定する。
【００７０】
次に、図７に示すように、前扉３の裏面側上部の右側部３０１にスピーカ３２ｂを取付け、突起部３２５、３２６の間に前記アース線３００ｂの保護カバー４２４を挿入し、アース線固定用ネジ５０２のネジ部５２１を他端側接続金具４０２の貫通孔４２２に挿入しフランジ部３２２の貫通孔３２３に挿入し、スピーカ本体３０２のネジ穴３２４に螺入して、ネジ頭５２２を締め付ける。これによりフランジ部３２２及びスピーカ本体３０２に他端側接続金具４０２をネジ止め固定する。
【００７１】
このような構造により、スロットマシン１は、電気部品としてスピーカ３２ｂを備えている。
【００７２】
図６に示す収容凹部３３１は、前記ネジ穴３０６の近傍に形成され、第１及び第２の規制部として壁部３０７と突起部３０８とを有し、当該第１及び第２の規制部の間に前記延出部４１３を収容する。
【００７３】
スロットマシン１は、前記収容凹部３３１に前記接続金具４０１の前記延出部４１３を収容し、前記接続金具４０１の前記貫通孔４１２と前記ネジ穴３０６が整合した状態で前記アース線固定用ネジ５０１のネジ部５１１が当該貫通孔４１２を介して当該ネジ穴３０６に螺入する場合に、前記第１規制部である壁部３０７が、前記アース線固定用ネジ５０１を中心とした前記接続金具４０１の時計方向の回転を規制し、前記第２規制部である突起部３０８が、前記アース線固定用ネジ５０１を中心とした前記接続金具４０１の反時計方向の回転を規制する。
【００７４】
図７に示す収容凹部３３２は、前記ネジ穴３２４の近傍に形成され、第１及び第２の規制部として突起部３２５、３２６とを有し、当該第１及び第２の規制部の間に前記延出部４２３を収容する。
【００７５】
スロットマシン１は、前記収容凹部３３２に前記接続金具４０２の前記延出部４２３を収容し、前記接続金具４０２の前記貫通孔４２２と前記ネジ穴３２４が整合した状態で前記アース線固定用ネジ５０２のネジ部５２１が当該貫通孔４２２を介して当該ネジ穴３２４に螺入する場合に、前記第１規制部である突起部３２５が、前記アース線固定用ネジ５０２を中心とした前記接続金具４０２の時計方向の回転を規制し、前記第２規制部である突起部３２６が、前記アース線固定用ネジ５０２を中心とした前記接続金具４０２の反時計方向の回転を規制する。
【００７６】
かかる構成のスロットマシン１によれば、前記壁部３０７が、前記アース線固定用ネジ５０１を中心とした前記一端側接続金具４０１の時計方向の回転を規制し、前記突起部３０８が、前記アース線固定用ネジ５０１を中心とした前記一端側接続金具４０１の反時計方向の回転を規制し、前記突起部３２５が、前記アース線固定用ネジ５０２を中心とした前記他端側接続金具４０２の時計方向の回転を規制し、前記突起部３２６が、前記アース線固定用ネジ５０２を中心とした前記他端側接続金具４０２の反時計方向の回転を規制するので、アース線３００ｂの一端側及び他端側接続金具４０１、４０２を前扉３のアース部３０３及びスピーカ３２ｂにネジ止め接続する際にアース線３００ｂを所望の方向に止めることができ、スロットマシン１の内部におけるアース線３００ｂを収納する領域を縮小してスロットマシン１の内部を有効利用が可能になる。
【００７７】
尚、図１乃至図７に示した実施形態では、前記アース線３００ｂの前記一端側接続金具４０１を前扉３のアース部３０３に接続し、前記アース線３００ｂの前記他端側接続金具４０２をスピーカ３２ｂに接続することでスピーカ３２ｂのアース接続を行う構成にしたが、アース接続の組み合わせは、前記アース線３００ｂの前記一端側接続金具４０１を筐体２のアース部に接続し、前記アース線３００ｂの前記他端側接続金具４０２を図３に示したホッパ装置２１に接続する構成にしてもよい。
【産業上の利用可能性】
【００７８】
本発明は、スロットマシンのアース線固定構造に限らず、メダルを使用するアレンジボール、雀球遊技機、パチンコ機等の他の遊技機のアース線固定構造に応用することができる。
【図面の簡単な説明】
【００７９】
【図１】図１は、本発明の一実施形態によるスロットマシンの外観構造を表した斜視図である。
【図２】図２は、本発明の一実施形態によるスロットマシンの外観構造を表した正面図である。
【図３】図３は、本発明の一実施形態によるスロットマシンの内部構造を表した図である。
【図４】図４は、本発明の一実施形態によるスロットマシンの制御システムを表したブロック図である。
【図５】図５は、本発明の一実施形態による前扉の裏側のスピーカ及びこの周辺部の背面図である。
【図６】図６は、本発明の一実施形態によるアース線の一端側をアース部に接続する場合の作業を説明する説明図である。
【図７】図７は、本発明の一実施形態によるアース線の他端側をスピーカに接続する場合の作業を説明する説明図である。
【符号の説明】
【００８０】
１…スロットマシン、２…筐体、３…前扉、４…上部パネル部、
５…下部パネル部、６…メダル受皿部、６ａ…メダル受皿、
７…操作卓、８…開口、２０…主制御基板、２１…ホッパ装置、
２２…補助貯留部、２３…電源ユニット、２４…電源基板、
２５…外部集中端子基板、３０…発光駆動部、
３２ａ、３２ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
３９…放電灯点灯装置、４０…サブ制御基板、４１…パネル面、
４２…表示窓、４６…演出用照明部、
４８ａ、４８ｂ…演出用放音部、４９…液晶表示装置、
４９ａ…表示窓、５０…パネル板、５１…表示パネル、
６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８１…電源スイッチ、８２…リセット釦、８３…設定
錠、８４…扉、１００…リールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２０６…乱数発生装置、２１０…演出装置、
２５０、２６０…基板ケース、２５１、２５２…ブラケット部材、
３００ａ、３００ｂ…アース線、
３０１…右側部、３０２…スピーカ本体、３０３…アース部、
３０４…取付部、３０５…ネジ止め部、３０６…ネジ穴、３０７…壁部、
３０８…突起部、３０９…板状部、３２１…カバー、
３２２…フランジ部、３２３…貫通孔、３２４…ネジ穴、
３２５、３２６…突起部、３２８、３２７…傾斜面、
３３１、３３２…収容凹部、４０１、４０２…接続金具、
４１１、４２１…ネジ止部、４１２、４２２…貫通孔、
４１３、４２３…延出部、４１４、４２４…保護カバー、
５０１、５０２…アース線固定用ネジ、５１１…ネジ部、
５１１、５２１…ネジ部、５１２、５２２…ネジ頭
【図１】
2008237743.tif 000003
【図２】
2008237743.tif 000004
【図３】
2008237743.tif 000005
【図４】
2008237743.tif 000006
【図５】
2008237743.tif 000007
【図６】
2008237743.tif 000008
【図７】
2008237743.tif 000009